(57)【要約】プロジェクタは、内部の光源ランプ４１１に冷却空気を導入するための光源冷却流路Ｘが形成された光源装置４１３と、この光源装置４１３から出射された光束に光学処理を施す光学素子ユニット６００を収納する内部筐体４７とを備える。内部筐体４７には、光学素子ユニット６００の配置に応じて冷却空気を引き通すために、光学素子ユニット６００を挟んで互いに対向配置される一対の光学素子冷却用開口部４７１Ａ，４７２Ａが形成される。また、内部筐体４７の下側には、吸気口５４Ａが開口部４７１Ａに向けられ、排気口５４Ｂが光源冷却流路Ｘと接続されるファン５４が設けられる。矢印の経路で空気が流れるので、光学素子ユニット６００および光源ランプ４１１を充分に冷却できる。
2002097529.tif 000002
【特許請求の範囲】
【請求項１】
光源ランプを含んで構成され、内部の前記光源ランプに冷却空気を導入するための光源冷却流路が形成された光源装置と、この光源装置から出射された光束に光学処理を施す照明光学系と、この照明光学系を構成する光学素子を収納する光学部品用筐体と、を備えるプロジェクタであって、
前記光学部品用筐体には、前記光学素子の配置に応じて冷却空気を引き通すために、互いに前記光学素子を挟んで対向配置される一対の光学素子冷却用開口部が形成され、
吸気口が一対の光学素子冷却用開口部のうちの一方の開口部に向けられ、排気口が前記光源冷却流路と接続されるファンを備えることを特徴とするプロジェクタ。
【請求項２】
請求項１に記載のプロジェクタにおいて、
前記光源装置から出射された光束を画像情報に応じて変調する電気光学装置を備え、
前記他方の光学素子冷却用開口部には、この電気光学装置を制御する制御基板が対向して配置されることを特徴とするプロジェクタ。
【請求項３】
請求項１または請求項２に記載のプロジェクタにおいて、
前記光源装置は、前記光源ランプから放射された光束の出射方向を揃えるリフレクタと、このリフレクタの光出射面を塞ぐ透明板と、を備え、
前記リフレクタおよびこの透明板の接合部分には、前記リフレクタの光軸を中心として対称配置される一対のランプ冷却用開口部が形成され、
前記排気口と、この一対のランプ冷却用開口部のいずれかとの間には、ダクト部材を介して接続されていることを特徴とするプロジェクタ。
【請求項４】
請求項３に記載のプロジェクタにおいて、
前記ダクト部材には、前記排気口から排出された冷却空気を整流する整流板が形成されていることを特徴とするプロジェクタ。
【請求項５】
請求項３または請求項４に記載のプロジェクタにおいて、
前記光学部品用筐体からの取り外し時に、前記ランプ冷却用開口部を塞ぐ開閉機構が設けられていることを特徴とするプロジェクタ。
【請求項６】
請求項１〜請求項５のいずれかに記載のプロジェクタにおいて、
前記光学部品用筐体の外面には、前記一方の光学素子冷却用開口部を囲むとともに、前記ファンの吸気口を囲むようにリブ状の突起が形成されていることを特徴とするプロジェクタ。
【請求項７】
請求項１〜請求項６のいずれかに記載のプロジェクタにおいて、
前記一方の光学素子冷却用開口部の近傍内面には、凹状段部からなるエア溜まりが形成されていることを特徴とするプロジェクタ。
【発明の詳細な説明】
技術分野
本発明は、光源から出射された光束を画像情報に応じて変調し、拡大投写して投写画像を形成するプロジェクタに関する。
背景技術
従来、会議、学会、展示会等でのプレゼンテーションとしてプロジェクタが多用されている。このようなプロジェクタとしては、例えば、光源から出射された光束を変調し、各種の光学部品により画像情報に応じて、拡大投写して投写画像を形成する光学系と、この光学系を収容する外装ケースとを備えた構成等が知られている。さらに、このような光学系は、光源ランプを含む光源装置から出射された光束に光学処理を施す照明光学系と、この照明光学系を構成する光学素子を収納する光学部品用筐体とを備えて構成されている。
このような光学素子のうち、その一つである偏光変換素子では、偏光ビームスプリッタ（ＰＢＳ）によって、光源ランプから出射された光束が、水平方向と垂直方向の２つの直線偏光に分離されこのうち水平方向の直線偏光は位相差フィルムによって、垂直方向の直線偏光に変換されている。これにより、光源装置から出射された光束が所定方向への直線偏光となるので、光束の利用効率が高められている。
このような偏光変換素子は、偏光ビームスプリッタと樹脂製の位相差フィルムとを接着剤によって接着接合することにより製造されている。このため、偏光変換素子に対して、長期に渡って過度の熱が加えられると、樹脂製の位相差フィルムが変形したり、接着剤の硬化により偏光ビームスプリッタおよび位相差フィルムの相対位置が変化するので、正しく光学処理ができない。
一方、光源装置は、光源ランプの発光によって高熱を発生させており、周辺にある偏光変換素子等の照明光学素子を加熱させる原因となっている。これらの点から、偏光変換素子および光源装置を如何に効率的に冷却するかが重要な課題となっている。
そこで、偏光変換素子や光源装置を含む光学系を冷却するために、光学系を収納する外装ケースに吸排気口を形成するとともに、その内側にファンを配置するような冷却構造を採用していた。
【発明が解決しようとする課題】
しかしながら、このような冷却構造では、外装ケース内にある光学系全体をまんべんなく冷却することができるものの、特に冷却を必要とする偏光変換素子や光源装置が、必ずしも充分に冷却できていないという問題があった。
なお、このような問題は、偏光変換素子に限らず、レンズアレイ等を含むその他の光学素子においても同様であった。
本発明の目的は、光学素子および光源装置を充分に冷却できるプロジェクタを提供することにある。
発明の開示
本発明に係るプロジェクタは、光源ランプを含んで構成され、内部の前記光源ランプに冷却空気を導入するための光源冷却流路が形成された光源装置と、この光源装置から出射された光束に光学処理を施す照明光学系と、この照明光学系を構成する光学素子を収納する光学部品用筐体と、を備えるプロジェクタであって、前記光学部品用筐体には、前記光学素子の配置に応じて冷却空気を引き通すために、互いに前記光学素子を挟んで対向配置される一対の光学素子冷却用開口部が形成され、吸気口が一対の光学素子冷却用開口部のうちの一方の開口部に向けられ、排気口が前記光源冷却流路と接続されるファンを備えることを特徴とするものである。
本発明によれば、ファンが駆動することによって、以下のように空気が流れる。すなわち、光学部品用筐体の外部側にある冷却用の空気が、光学部品用筐体に形成された一対の光学素子冷却用開口部における他方の開口部を介して光学部品用筐体の内部側に流入し、この内部側に流入した冷却空気が、他方の開口部側から一方の開口部側に向かって光学素子に沿って流れる。
すると、光学素子の一方の開口部側へと流れてきた冷却空気は、一方の開口部に対向するファンの吸気口からファンの内部に吸入された後に、ファンの排気口から、この排気口に接続された光源冷却流路へと排出される。
このような流通経路で冷却空気が流れることにより、光学素子および光源ランプが集中的に冷却されるので、光源ランプひいては光源装置、および光学素子を充分に冷却できる。
また、光学部品用筐体の内部側に最初に流入する冷却空気は、この流通経路における空気の中で最も冷たい空気であるので、歪み等が生じ易い光学素子を、より一層効率よく冷却できて、光学素子の長寿命化を図ることができる。
ここでのファンとしては、例えば、シロッコファンを採用できる。シロッコファンは、吸気口の開口部面積よりも排気口の開口部面積が小さく形成されるので、空気の吐出圧をその他のファンに比べて高めることができる。このため、その他のファンに比べて低回転数でありながら同程度の出力を確保でき、静粛性に優れてる。
ここで、前記プロジェクタは、前記光源装置から出射された光束を画像情報に応じて変調する電気光学装置を備え、前記他方の光学素子冷却用開口部には、この電気光学装置を制御する制御基板が対向して配置されることが好ましい。
制御基板は電気光学装置を制御するものであるが、その基板上には、熱に対して弱い回路素子が組み込まれている。
このような制御基板を、他方の光学素子冷却用開口部に対向配置したので、光学部品用筐体の外部側にある冷却用の空気が、他方の光学素子冷却用開口部を介して、光学部品用筐体の内部側へと流入する際に、制御基板に沿って流れることととなるため、制御基板上の回路素子をも冷却する。このように、熱に対して弱い回路素子を冷却できるので電気光学装置、ひいてはプロジェクタの動作を確実にできる。
また、前記光源装置は、前記光源ランプから放射された光束の出射方向を揃えるリフレクタと、このリフレクタの光出射面を塞ぐ透明板とを備え、前記リフレクタおよびこの透明板の接合部分には、前記リフレクタの光軸を中心として対称配置される一対のランプ冷却用開口部が形成され、前記排気口と、この一対のランプ冷却用開口部のいずれかとの間には、ダクト部材を介して接続されていることが好ましい。
このような構成によれば、ファンの排気口とランプ冷却用開口部の一方とをダクト部材で接続したので、ファンから排出される冷却空気が他へと漏れ流出することが少なくなる。このため、ファンから排出される空気を光源冷却流路に確実に送風でき、リフレクタの内部、つまりは光源ランプを効率よく冷却できて、光源ランプの長寿命化を図ることができる。
また、一対のランプ冷却用開口部をリフレクタの光軸を中心とした対称位置に形成することにより、リフレクタの内部を比較的広範囲に渡って空気が流通するので、光源ランプをより一層効率よく冷却できる。
さらに、リフレクタの光出射面を塞ぐ透明板を備えて構成したので、光源ランプが破損した際に、光源ランプのガラスの破片等が飛散することを防止できる。
なお、このようなダクト部材としては、ファンの排気口と一方の光源ランプ冷却用開口部とを繋ぐようなダクトとしてもよいし、ダクト部材の端部が、排気口および一方の光源ランプ冷却用開口部の近傍に配置されていて、ダクト部材の端部が排気口および一方の光源ランプ冷却用開口部に完全には接続されていない状態とされていてもよい。
また、前記ダクト部材には、前記排気口から排出された冷却空気を整流する整流板が形成されていることが好ましい。
このようにすれば、例えば、ファンとしてシロッコファンを使用した場合には、このシロッコファンの回転により排気口から偏心して吐出される冷却空気の吐出方向を整流板で規制できる。このため、整流板によってダクト部材内を流れる冷却空気が整流されて、空気が光源冷却流路へとスムーズに流れるので、より一層効率よく光源ランプを冷却できる。
ここで、前記光ランプにリフレクタおよび透明板を設け、これらリフレクタおよび透明板の接合部分に一対のランプ冷却用開口部を形成し、排気口と一対のランプ冷却用開口部の一方とを接続するダクト部材を設けてプロジェクタを構成した場合において、前記光学部品用筐体から光源装置を取り外す際に、前記ランプ冷却用開口部を塞ぐ開閉機構が設けられていることが好ましい。
このような構成において、例えば、光源ランプが破損して交換が必要となった場合でも、光学部品用筐体から光源装置を取り外す際に、開閉機構によってランプ冷却用開口部が塞がれるので、光源ランプの破片等がランプ冷却用開口部を介して、光学部品用筐体内に飛散することがない。このように、光学部品用筐体内への破片の飛散を防止できるので、プロジェクタの使用者に破片等が付着して、この破片等で怪我を負うような可能性をなくすことができる。
前記光学部品用筐体の外面には、前記一方の光学素子冷却用開口部を囲むとともに、前記ファンの吸気口を囲むようにリブ状の突起が形成されていることが好ましい。
このように、一方の光学素子冷却用開口部および吸気口を囲むようなリブ状の突起を形成したので、一方の光学素子冷却用開口部とファンとの間に、突起の突出寸法分の空間が設けられることになる。
ここで、このような空間を設けずに、吸気口と一方の光学素子冷却用開口部との距離が近くなる場合には、ファンの性質上、ファンが特定の場所における空気ばかりを吸入して、光学素子の特定部位だけを冷却するので、光学素子においてあまり冷却されない部分が存在することとなる。このため、突起を形成して所定の空間を設けることにより、ファンが光学素子近傍の空気をまんべんなく吸入し、光学素子の全体を冷却できる。
また、突起が吸気口および一方の光学素子冷却用開口部を囲むので、突起とファンとの隙間から、吸気口にへと流入する空気を少なくできる。このため、ファンが光学部品用筐体内の空気を確実に吸入するので、光学素子を充分に冷却できる。この際、突起の先端を平坦面状とし、ファンの吸気口の周囲を平坦面状として、突起と吸気口の周囲とが完全に当接するように構成するのが好ましい。このようにすれば、より一層確実に冷却空気を吸入できて光学素子を冷却できる。
さらに、前記一方の光学素子冷却用開口部の近傍内面には、凹状段部からなるエア溜まりが形成されていることが好ましい。
このように凹状段部からなるエア溜まりを形成することにより、冷却する光学素子よりも光学素子冷却用開口部が小さい場合でも、ファンが光学素子近傍の空気をまんべんなく吸入できて、光学素子の全体を冷却できる。
発明を実施するための最良の形態
以下、本発明の一実施形態を図面に基づいて説明する。
〔１．プロジェクタの主な構成〕
図１は、本実施形態に係るプロジェクタ１を上方から見た全体斜視図、図２は、プロジェクタ１を下方から見た全体斜視図、図３〜図５は、プロジェクタ１の内部を示す斜視図である。
具体的に、図３は、図１の状態からプロジェクタ１のアッパーケース２１を外した図、図４は、図３の状態からシールド板８０、ドライバーボード９０、および上内部筐体４７２を外して後方側から見た図、図５は、図４の状態から光学ユニット４を外した図である。
図１〜図３において、プロジェクタ１は、外装ケース２と、外装ケース２内に収容された電源ユニット３と、同じく外装ケース２内に配置された平面Ｕ字形の光学ユニット４とを備え、全体略直方体形状となっている。
外装ケース２は、それぞれ樹脂製とされたアッパーケース２１、ロアーケース２３で構成されている。これらのケース２１、２３は、互いにネジで固定されている。
アッパーケース２１は、上面部２１１と、その周囲に設けられた側面部２１２と、背面部２１３と、正面部２１４で形成されている。
上面部２１１の前方側には、ランプカバー２４が嵌め込み式で着脱自在に取り付けられている。また、上面部２１１において、ランプカバー２４の側方には、投写レンズ４６の上面部分が露出した切欠部２１１Ａが設けられ、投写レンズ４６のズーム操作、フォーカス操作をレバーを介して手動で行えるようになっている。この切欠部２１１Ａの後方側には、操作パネル２５が設けられている。
正面部２１４は、前記アッパーケース２１の切欠部２１１Ａと連続した丸孔開口２１２Ａを備え、この丸孔開口２１２Ａに対応して投写レンズ４６が配置されている。この正面部２１４において、丸孔開口２１２Ａとは反対側には、内部の電源ユニット３の前方側に位置した排気口２１２Ｂが設けられ、この排気口２１２Ｂには、冷却空気を画像投写領域から外れる方向、すなわち図１中左側へ排気するとともに、遮光を兼ねた排気用ルーバ２６が設けられている（排気用ルーバ２６は実際には、ロアーケース２３に取り付けられている）。
ロアーケース２３は、底面部２３１と、その周囲に設けられた側面部２３２および背面部２３３とで形成されている。
底面部２３１の前方側には、プロジェクタ１全体の傾きを調整して投写画像の位置合わせを行う位置調整機構２７が設けられている。また、底面部２３１後方側の一方の隅部には、プロジェクタ１の別方向の傾きを調整する別の位置調整機構２８が設けられ、他方の隅部には、リアフット２３１Ａが設けられている。ただし、リアフット２３１Ａは、位置を調整することはできない。さらに、底面部２３１には、冷却空気の吸気口２３１Ｂが設けられている。
一方の側面部２３２には、コ字形のハンドル２９を回動自在に取り付けるための取付部２３２Ａが設けられている。
このような外装ケース２の一方の側面側においては、アッパーケース２１およびロアーケース２３の各側面部２１２，２３２には、ハンドル２９を上側にしてプロジェクタ１を立てた場合の足となるサイドフット２Ａ（図２）が設けられている。
また、外装ケース２の背面側には、アッパーケース２１の背面部２１３とロアーケース２３の背面部２３３に跨って開口したインターフェース部２Ｂが設けられ、このインターフェース部２Ｂ内にはインターフェースカバー２１５が設けられ、さらに、インターフェースカバー２１５の内部側には、種々のコネクタが実装された図示略のインターフェース基板が配置されるようになっている。また、インターフェース部２Ｂの左右両側には、各背面部２１３，２３３に跨ってスピーカ孔２Ｃおよび吸気口２Ｄが設けられている。このうちの吸気口２Ｄは、内部の電源ユニット３の後方側に位置している。
電源ユニット３は、図４に示すように、電源３１と、電源３１の側方に配置されたランプ駆動回路（バラスト）３２とで構成されている。
電源３１は、電源ケーブルを通して供給された電力をランプ駆動回路３２や回路素子が設けられた制御基板としてのドライバーボード９０（図３）等に供給するものであり、前記電源ケーブルが差し込まれるインレットコネクタ３３（図２）を備えている。
ランプ駆動回路３２は、電力を光学ユニット４の光源ランプ４１１に供給するものである。
光学ユニット４は、図４、図６、図１２に示すように、光源ランプ４１１から出射された光束を、光学的に処理して画像情報に対応した光学像を形成するユニットであり、インテグレータ照明光学系４１、色分離光学系４２、リレー光学系４３、電気光学装置４４、色合成光学系としてのクロスダイクロイックプリズム４５（図６）、および投写光学系としての投写レンズ４６を備えている。
これら電源ユニット３および光学ユニット４は、上下を含む周囲のアルミ製のシールド板８０（図３、図５）で覆われており、これによって、電源ユニット３等から外部への電磁ノイズの漏れを防止している。
〔２．光学系の詳細な構成〕
図４、図６において、インテグレータ照明光学系４１は、電気光学装置４４を構成する３枚の液晶パネル４４１（赤、緑、青の色光毎にそれぞれ液晶パネル４４１Ｒ，４４１Ｇ，４４１Ｂと示す）の画像形成領域をほぼ均一に照明するための光学系であり、光源装置４１３と、第１レンズアレイ４１８と、ＵＶフィルタを含む第２レンズアレイ４１４と、偏光変換素子４１５と、第１コンデンサレンズ４１６と、反射ミラー４２４と、第２コンデンサレンズ４１９とを備えている。
光源装置４１３は、放射状の光線を出射する放射光源としての光源ランプ４１１と、この光源ランプ４１１から出射された放射光を揃えて出射するリフレクタ４１２とを有する。光源ランプ４１１としては、ハロゲンランプやメタルハライドランプ、または高圧水銀ランプが用いられることが多い。リフレクタ４１２としては、放物面鏡を用いている。放物面鏡の他、平行化レンズ（凹レンズ）と共に楕円面鏡を用いてもよい。
なお、光源装置４１３については、後でより詳細に説明する。
第１レンズアレイ４１８は、光軸方向から見てほぼ矩形状の輪郭を有する小レンズがマトリクス状に配列された構成を有している。各小レンズは、光源ランプ４１１から出射される光束を、複数の部分光束に分割している。各小レンズの輪郭形状は、液晶パネル４４１の画像形成領域の形状とほぼ相似形をなすように設定されている。たとえば、液晶パネル４４１の画像形成領域のアスペクト比（横と縦の寸法の比率）が４：３であるならば、各小レンズのアスペクト比も４：３に設定する。
第２レンズアレイ４１４は、第１レンズアレイ４１８と略同様な構成を有しており、小レンズがマトリクス状に配列された構成を有している。この第２レンズアレイ４１４は、第１コンデンサレンズ４１６および第２コンデンサレンズ４１９とともに、第１レンズアレイ４１８の各小レンズの像を液晶パネル４４１上に結像させる機能を有している。
偏光変換素子４１５は、第２レンズアレイ４１４と第１コンデンサレンズ４１６との間に配置されるとともに、第２レンズアレイ４１４と一体でユニット化された光学素子ユニット６００を構成している。
このような偏光変換素子４１５は、第２レンズアレイ４１４からの光を１種類の偏光光に変換するものであり、これにより、電気光学装置４４での光の利用効率が高められている。
具体的に、偏光変換素子４１５によって１種類の偏光光に変換された各部分光は、第１コンデンサレンズ４１６および第２コンデンサレンズ４１９によって最終的に電気光学装置４４の液晶パネル４４１Ｒ，４４１Ｇ，４４１Ｂ上にほぼ重畳される。偏光光を変調するタイプの液晶パネル４４１を用いた本実施形態のプロジェクタ１（電気光学装置４４）では、１種類の偏光光しか利用できないため、他種類のランダムな偏光光を発する光源ランプ４１１からの光のほぼ半分が利用されない。
そこで、偏光変換素子４１５を用いることにより、光源ランプ４１１からの出射光を全て１種類の偏光光に変換し、電気光学装置４４での光の利用効率を高めている。なお、このような偏光変換素子４１５は、たとえば特開平８−３０４７３９号公報に紹介されている。
なお、前述の光源装置４１３と同様に、偏光変換素子４１５および第２レンズアレイ４１４を含む光学素子ユニット６００についても、後でより詳細に説明する。
色分離光学系４２は、２枚のダイクロイックミラー４２１，４２２と、反射ミラー４２３とを備え、ダイクロイックミラー４２１、４２２によりインテグレータ照明光学系４１から出射された複数の部分光束を赤、緑、青の３色の色光に分離する機能を有している。
リレー光学系４３は、入射側レンズ４３１、リレーレンズ４３３、および反射ミラー４３２、４３４を備え、色分離光学系４２で分離された色光、青色光を液晶パネル４４１Ｂまで導く機能を有している。
この際、色分離光学系４２のダイクロイックミラー４２１では、インテグレータ照明光学系４１から出射された光束の青色光成分と緑色光成分とが透過するとともに、赤色光成分が反射する。ダイクロイックミラー４２１によって反射した赤色光は、反射ミラー４２３で反射し、フィールドレンズ４１７を通って赤色用の液晶パネル４４１Ｒに達する。このフィールドレンズ４１７は、第２レンズアレイ４１４から出射された各部分光束をその中心軸（主光線）に対して平行な光束に変換する。他の液晶パネル４４１Ｇ、４４１Ｂの光入射側に設けられたフィールドレンズ４１７も同様である。
ダイクロイックミラー４２１を透過した青色光と緑色光のうちで、緑色光はダイクロイックミラー４２２によって反射し、フィールドレンズ４１７を通って緑色用の液晶パネル４４１Ｇに達する。一方、青色光はダイクロイックミラー４２２を透過してリレー光学系４３を通り、さらにフィールドレンズ４１７を通って青色光用の液晶パネル４４１Ｂに達する。なお、青色光にリレー光学系４３が用いられているのは、青色光の光路の長さが他の色光の光路長さよりも長いため、光の拡散等による光の利用効率の低下を防止するためである。すなわち、入射側レンズ４３１に入射した部分光束をそのまま、フィールドレンズ４１７に伝えるためである。
電気光学装置４４は、３枚の光変調装置としての液晶パネル４４１Ｒ，４４１Ｇ，４４１Ｂを備え、これらは、例えば、ポリシリコンＴＦＴをスイッチング素子として用いたものであり、色分離光学系４２で分離された各色光は、これら３枚の液晶パネル４４１Ｒ，４４１Ｇ，４４１Ｂによって、画像情報に応じて変調されて光学像を形成する。
クロスダイクロイックプリズム４５は、３枚の液晶パネル４４１Ｒ，４４１Ｇ，４４１Ｂから出射された各色光毎に変調された画像を合成してカラー画像を形成するものである。なお、クロスダイクロイックプリズム４５には、赤色光を反射する誘電体多層膜と青色光を反射する誘電体多層膜とが、４つの直角プリズムの界面に沿って略Ｘ字状に形成され、これらの誘電体多層膜によって３つの色光が合成される。そして、クロスダイクロイックプリズム４５で合成されたカラー画像は、投写レンズ４６から出射され、スクリーン上に拡大投写される。
以上説明した各光学系４１〜４５は、図４、図１２に示すように、光学部品用筐体としての合成樹脂製の内部筐体４７内に収容されている。
この内部筐体４７は、前述の各光学部品４１４〜４１９，４２１〜４２３，４３１〜４３４を上方からスライド式に嵌め込む溝部がそれぞれ設けられた下内部筐体４７１と、下内部筐体４７１の上部の開口側を閉塞する蓋状の上内部筐体４７２とで構成されている。
また、内部筐体４７の光出射側にはヘッド部４９が形成されている。ヘッド部４９の前方側に投写レンズ４６が固定され、後方側に液晶パネル４４１Ｒ，４４１Ｇ，４４１Ｂが取り付けられたクロスダイクロイックプリズム４５が固定されている。
続いて、本発明の要部を構成する光源装置４１３、光学素子ユニット６００およびその近傍における内部筐体４７の構造について詳細に説明し、続いて、冷却構造、特に光学素子光源冷却系Ｂについて詳細に説明する。
〔３．光源装置の構造〕
図７は、光源装置４１３を示す分解斜視図であり、図８は、光源装置４１３を構成する吸気側ダクトフレーム５５０を上方もしくは正面から見た図である。
光源装置４１３は、前述したように所定の光束を出射する装置であり、図４、図６に加えて、図７に示すように、光源ランプ４１１およびリフレクタ４１２を有するランプ本体４１０と、このランプ本体４１０を収納する光源ランプ用筐体５００とを備えて構成され、内部筐体４７（図４参照）に着脱可能とされている。
ここから、図７を用いて光源装置４１３を説明すると、リフレクタ４１２の前面である光出射面４１２Ａには、その四隅に前方へと突出する突出片４１２Ａ１がそれぞれ形成されている。そして、これら４つの突出片４１２Ａ１には、光出射面４１２Ａから所定の間隔をおいて、この光出射面４１２Ａを覆うようにガラスやプラスチック製等の透明板５０１が係止されている。リフレクタ４１２の前面部分がこのような構造であるため、光出射面４１２Ａと透明板５０１との間には、その一辺が突出片４１２Ａ１の突出寸法と略同じ寸法で、略長方形状の開口部が、光出射面４１２Ａの上下左右側に４つ形成されることになる（図示を一部省略）。
これらの４つの開口部のうち、上側に形成されている開口部、および、下側に形成されている開口部で、本発明に係るプロジェクタにおける一対のランプ冷却用開口部が構成され、この上側に形成されている開口部が排気側開口部５０７であり、下側に形成されている開口部が吸気側開口部５０８である。
このため、排気側開口部５０７および吸気側開口部５０８の位置は、光源ランプ４１１から出射される光束の光軸を中心とした対称位置となっている。
また、排気側開口部５０７および吸気側開口部５０８には、図示を省略しているが、光源ランプ４１１が破損した際に、その破片が飛散することを防止するために、防塵用フィルタが設けられている。
なお、４つの開口部のうち左右側に形成された開口部は、ランプ本体４１０および光源ランプ用筐体５００によって光源装置４１３が組立てられた際に、光源ランプ用筐体５００の側面部５１２が当接して、この側面部５１２により塞がれるようになっている。
このような構造であるから、ランプ本体４１０には、吸気側開口部５０８を介してランプ本体４１０の外部側から内部側へ、さらに、排気側開口部５０７を介してランプ本体４１０の内部側から外部側へと流れる空気の流通経路としての光源冷却流路Ｘが形成されている。これにより、光源ランプ４１１を含むランプ本体４１０の内部側の冷却が可能とされている（図１４参照）。
一方、光源ランプ用筐体５００は、ランプ本体４１０を収納して保護するとともに、光源ランプ４１１から出射される光束の光軸方向、およびこの光軸方向に直交する方向に、光源ランプ４１１およびリフレクタ４１２を含むランプ本体４１０を位置決め固定し、かつ光源ランプ用筐体５００の内部側の冷却を補助するための部材であって、筐体本体５１０と、排気側蓋部材５２０と、排気側ダクトフレーム５３０と、吸気側ダクトフレーム５５０とを備えて構成される。
筐体本体５１０は、ランプ本体４１０の保護および位置決め固定を行うための箱状の部材であり、ランプ本体４１０における左右の側部に当接する２つの側面部５１２と、４つの突出片４１２Ａ１の前面部と当接する正面部５１３と、ランプ本体４１０の上部と当接する上面部５１４とを備えて構成される。
正面部５１３には、光源ランプ４１１から出射される光束を阻害しないように、光源ランプ用筐体５００から透明板５０１の前面を露出させるための正面開口部５１３Ａが形成されている。
上面部５１４において、筐体本体５１０の前側には、略長方形状の前側開口部５０３が、さらに、この前側開口部５０３の後側で上面部５１４の略中央部分には、その一辺の長さが前側開口部５０３の長辺よりも小さい略正方形状の中央開口部５０４が形成されている。なお、図７において、この中央開口部５０４は、排気側蓋部材５２０によって塞がれているため、図には隠れている。
また、上面部５１４において、中央開口部５０４の後側には、後述する排気側蓋部材５２０の支持軸５２３を取り付けるための支持軸受５１５が形成され、さらに、上面部５１４において中央開口部５０４を挟んで対角となるような位置、つまり筐体本体５１０を正面側から見て左奥側および右手前側の位置には、ねじ孔部５１６がそれぞれ形成されている。
前側開口部５０３は、ランプ本体４１０に設けられた排気側開口部５０７よりも、その開口面積がやや大きくなるように形成されている。さらに、ランプ本体４１０および光源ランプ用筐体５００によって光源装置４１３が組立てられた際には、前側開口部５０３は、排気側開口部５０７に対して重なりあう位置となるようにされている。
なお、図示を省略しているが、前側開口部５０３と排気側開口部５０７との間には、これらの開口部５０３，５０７を繋ぐように、ゴムや樹脂等の材料からなる弾性部材が設けられている。この弾性部材により、光源ランプ４１１が破損した際でも、その破片が飛散することが防止されている。
排気側蓋部材５２０は、筐体本体５１０の上面部５１４の上側に設けられるとともに、上面部５１４に形成された前側開口部５０３および中央開口部５０４を開閉するための部材であって、開口部５０３，５０４を塞ぐための平板状の蓋部材本体５２１と、この蓋部材本体５２１を軸支する支持軸５２３と、蓋部材本体５２１の回動を補助する補助板５２２とを備えて構成される。
蓋部材本体５２１は、短辺の長さが前側開口部５０３の長辺の長さと略同じである略長方形状であって、開口部５０３，５０４を完全に覆う大きさに形成されている。
補助板５２２は、蓋部材本体５２１の長辺における略中央部分から、蓋部材本体５２１の短辺に沿った方向へと両側に延出するとともに、その断面形状が「へ」字状とされている。
支持軸５２３は、蓋部材本体５２１の後端部５２１Ａに取り付けられ、前述したように支持軸受５１５で支持されている。
ここで、ランプ本体４１０および光源ランプ用筐体５００によって光源装置４１３を組立てると、補助板５２２が下内部筐体４７１（図４，１４参照）に形成された突起に当接し、この突起の当接によって蓋部材本体５２１が支持軸５２３を支点として回動する。これにより、蓋部材本体５２１の先端部５２１Ｂが持ち上げられている。
従って、光源装置４１３が、下内部筐体４７１に装着されている場合には、蓋部材本体５２１の先端部５２１Ｂが、常に持ち上げられた状態となっていて、開口部５０３，５０４が常に開口されている。
一方、光源装置４１３が、下内部筐体４７１から取り外されている場合には、前述の突起による当接が解除されて、蓋部材本体５２１の先端部５２１Ｂが下がり、開口部５０３，５０４が塞がれている。
排気側ダクトフレーム５３０は、開口部５０３，５０４および排気側蓋部材５２０を覆うことで、内部を流れる空気が外部へと漏れないようにするための箱形のカバー部材である。
排気側ダクトフレーム５３０の内部は空洞とされていて、また、排気側ダクトフレーム５３０の両側面５３１には、補助板５２２の位置、形状および動きに合わせて切り欠いた切欠き部５３２が形成されており（一方を図示略）、排気側蓋部材５２０の動きを阻害しないようになっている。
また、排気側ダクトフレーム５３０には、筐体本体５１０の上面部５１４に形成された２つのねじ孔部５１６に、それぞれ対応する位置にねじ部５３６が形成されている。そして、ねじ孔部５１６およびねじ部５３６に、ねじ５１７が挿通、螺合されて、排気側ダクトフレーム５３０が筐体本体５１０に固定されている。
さらに、排気側ダクトフレーム５３０の両側面５３１で切欠き部５３２の後部側には、指の腹に応じた凹みを有する取っ手部５３３が形成されており、光源装置４１３が下内部筐体４７１から取り外しやすくなっている。
なお、図７には隠れているが、排気側ダクトフレーム５３０と排気側蓋部材５２０との間には、蓋部材本体５２１に形成された当接部５２１Ｘに当接して、蓋部材本体５２１を筐体本体５１０側へと付勢するコイルバネが設けられている。
次に、吸気側ダクトフレーム５５０は、筐体本体５１０の下側に設置されて、ランプ本体４１０の吸気側開口部５０８を下側から覆う部材であり、シロッコファン５４から排出された空気を吸気側開口部５０８へと案内する吸気側ダクトフレーム本体５５１と、この吸気側ダクトフレーム本体５５１に形成された開口部５５１Ａの開閉を行うためのシャッター５５２とを備えて構成される。
吸気側ダクトフレーム本体５５１は、図８（Ａ），（Ｂ）にも示すように、ランプ本体４１０の下側に当接する正面凹状の板状部材５５３と、この板状部材５５３の先端中央を面外方向に膨出させた空気取込部５５４とを備えて構成される。
さらに、空気取込部５５４の中央部には、シロッコファン５４から排出される空気を整流する板状の整流板５５７が形成され、この整流板５５７は、空気取込部５５４を２つの空間に仕切っている。この空気取込部５５４の先端に形成された開口部５５１Ａを介して、シロッコファン５４から排出された空気をランプ本体４１０へと導入する。
ここで、シロッコファン５４から排出される空気は、ファンの回転接線方向に沿って流れてくるため、排気口５４Ｂに対して垂直に出てくるのではなく、やや回転方向側に偏心して出てくる。このため、空気取込部５５４の中央部に整流板５５７を設けたので、排気口５４Ｂから偏心して出てきた空気が整流板５５７に当たって向きをかえることにより整流されている。なお、整流板５５７を空気取込部５５４の中央部に１つだけ形成したが、形成する数および位置は特に限定されない。
シャッター５５２は、筐体本体５１０に対して摺動自在に支持されたシャッター本体５５５と、このシャッター本体５５５を摺動方向、つまりは図中の下方向へと付勢する２つのコイルばね５５６とを備えて構成される。
シャッター本体５５５は、略長方形板状で、開口部５５１Ａを塞ぐ大きさに形成されている。
２つのコイルばね５５６は、それぞれ、一端がシャッター５５２に取り付けられるとともに、他端が筐体本体５１０の正面部５１３において、正面開口部５１３Ａの下側に形成された凹み部分５１３Ｂに挿入固定される。
ここで、光源ランプ４１３を構成するリフレクタ４１２および透明板５０１と、吸気側ダクトフレーム５５０との間には、図７に示すように、ダクトキャップ５６０が配置されている。
ダクトキャップ５６０は、図９，１０にも示すように、ランプ本体４１０の下側を支持するとともに、シロッコファン５４側から流れてくる冷却空気をリフレクタ４１２内へと効率良く流すための部材であり、その上側は透明板４１３の形状に応じて湾曲し、前後方向となる厚さ寸法はリフレクタ４１２の４つの突出片４１２Ａ１の突出寸法と略同じとされている。
また、図９に示すように、ダクトキャップ５６０の底面部５６１には、その略中央に吸気用開口部５６１Ａが形成されている。そして、図１０に示すように、底面部５６１において、吸気用開口部５６１Ａの周辺部分は他の部分に比べて厚さ寸法が小さく（薄く）なっている。つまり、底面部５６１には、この他の部分から吸気用開口部５６１Ａの中央側へと延出する延出部５６１Ｂが形成されていることになる。この延出部５６１Ｂの厚さ寸法Ｔは、約０．５ｍｍ以下とされ、他の部分よりも薄くなっている。
このように、底面部５６１の吸気用開口部５６１Ａの周辺部分を薄く形成することにより、シロッコファン５４側から流れてくる冷却空気は、透明板４１３に沿うようにして、リフレクタ４１２内に円滑に入りこみ、光源ランプ４１１の先端部分を効果的に冷却できる（図１４参照）。
ここで、ランプ本体４１０および光源ランプ用筐体５００によって光源装置４１３を組立てると、下内部筐体４７１（図４参照）に形成された突起（図示略）が当接して、シャッター本体５５５が持ち上がるように形成されている。
従って、光源装置４１３が、下内部筐体４７１に装着されている場合には、シャッター本体５５５が、常に持ち上げられた状態となっていて、開口部５５１Ａが常に開口されている。一方、光源装置４１３が、下内部筐体４７１から取り外されている場合には、この突起による当接が解除されて、シャッター本体５５５が下がり、開口部５５１Ａが塞がれている。
このように、下内部筐体４７１から光源装置４１３を取り外す際には、排気側の開口部５０３，５０４および吸気側の開口部５５１Ａが共に塞がれるので、これらの開口部５０３，５０４，５５１Ａの内部側となる一対のランプ冷却用開口部としての開口部５０７，５０８も塞がれて、本発明を構成する開閉機構が閉じられる。
〔４．光学素子ユニットの構造〕
ここで、光学素子ユニット６００の構造について説明する。
図１１は、光学素子ユニット６００を示す斜視図である。
光学素子ユニット６００は、前述したように、第１コンデンサレンズ４１６と第１レンズアレイ４１８との間に配置されるとともに、偏光変換素子４１５および第２レンズアレイ４１４とが一体でユニット化されたものである。
より具体的に光学素子ユニット６００は、図１１に示すように、光学素子６０１である偏光変換素子４１５および第２レンズアレイ４１４と、これらの光学素子６０１を固定する光学素子固定部材６０２とを備えて構成される。
光学素子固定部材６０２は、偏光変換素子４１５と第２レンズアレイ４１４との間に所定の空間を維持したまま固定する部材であり、このような状態で、下内部筐体４７１（図４参照）の所定位置にねじ６１０で固定される。なお、光学素子固定部材６０２には、このねじ６１０を挿通するためのねじ孔部６０３が、光学素子固定部材６０２の厚さを示す部分である左右両端部の上側に１つずつ形成されている。
また、光学素子固定部材６０２には、偏光変換素子４１５と第２レンズアレイ４１４との間に設けられた空間を利用して、これらの偏光変換素子４１５および第２レンズアレイ４１４を冷却するために、図中の上下方向に貫通する冷却流路が形成されている。これにより、光学素子ユニット６００の上側には、冷却流路を構成するための略長方形状の吸気側開口部６０２Ａが２つ形成され、一方、この図中には隠れているが、光学素子ユニット６００の下側にも、冷却流路を構成するための略長方形状の排気側開口部６０２Ｂが２つ形成されている（図１３参照）。
従って、このような冷却流路により、光学素子ユニット６００の上方にある空気は、吸気側開口部６０２Ａから偏光変換素子４１５と第２レンズアレイ４１４との間に入り込み、排気側開口部６０２Ｂからでていくことで、偏光変換素子４１５と第２レンズアレイ４１４である光学素子６０１を冷却している。
〔５．内部筐体の構造〕
次に、光学素子ユニット６００の近傍、吸気側ダクトフレーム５５０の近傍における内部筐体４７の構造について説明する。
まず、光学素子ユニット６００の近傍部分における内部筐体４７の構造について説明する。
図１４に示すように、上内部筐体４７２において、光学素子ユニット６００の上方となる部分には、光学素子ユニット６００の配置に応じて冷却空気を引き通すための光学素子冷却用吸気側開口部４７２Ａが形成されている。また、図１２，１３に示すように、下内部筐体４７１において光学素子ユニット６００の下方となる部分（図１３中では上方）には、光学素子冷却用排気側開口部４７１Ａが形成されている。
さらに、図１３に示すように、下内部筐体４７１の外面（図中上側）には、光学素子冷却用排気側開口部４７１Ａを囲むとともに、シロッコファン５４の吸気口５４Ａを囲む形状であって、リブ状の突起４７５が形成されている。この突起４７５の先端部分４７５Ａは、シロッコファン５４と正確に当接して外部からの空気が流入しないように、平坦面状に形成されている。この突起４７５によって、シロッコファン５４の吸気口５４Ａと光学素子冷却用排気側開口部４７１Ａとの間に、突起４７５の突出寸法分の空間が設けられている。
また、光学素子冷却用排気側開口部４７１Ａの近傍において、下内部筐体４７１の内面（図中下側）には、凹状段部４７６からなるエア溜まり４７６Ａが形成されている。この凹状段部４７６の外面は、突起４７５の先端部分４７５Ａと同じ高さ位置とされており、突起４７５の先端部分４７５Ａと同様にシロッコファン５４の面と正確に当接するように形成されている。
光学素子ユニット６００の近傍における下内部筐体４７１がこのような構造をしているので、図１３に示すように、光学素子ユニット６００の内部から、光学素子ユニット６００の排気側開口部６０２Ｂを介して流出する空気は、矢印６１０，６１１のように流れて、シロッコファン５４に吸入される。
具体的には、光学素子ユニット６００において、図１３中右側の排気側開口部６０２ＢＲから流出する空気は、矢印６１０のように、真っ直ぐにシロッコファン５４の吸気口５４Ａへと流れ、シロッコファン５４に吸入される。
一方、図１３中左側の排気側開口部６０２ＢＬから流出する空気は、矢印６１１のように、一度凹状段部４７６の内面に当たってエア溜まり４７６Ａに留まった後に、方向転換してからシロッコファン５４の吸気口５４Ａへと流れ、シロッコファン５４に吸入される。
なお、図１３，１４において、光学素子ユニット６００の左右の冷却バランスを、光学素子冷却用排気側開口部４７１Ａまたは光源装置側開口部４７１Ｂにおける開口面積を変えることによって、自在に変更できる。
続いて、吸気側ダクトフレーム５５０の近傍における内部筐体４７の構造について説明する。
内部筐体４７を構成する下内部筐体４７１には、吸気側ダクトフレーム５５０を収納するとともに、下内部筐体４７１の外面から膨出する膨出部４７７が形成されている。この膨出部４７７は、その先端の光源装置側開口部４７１Ｂがシロッコファン５４の排気口５４Ｂに接続されるとともに、吸気側ダクトフレーム５５０における空気取込部５５４の形状に応じて形成されている。このように吸気側ダクトフレーム５５０の内側が吸気側ダクトフレーム５５０と下内部筐体４７１とで二重に覆われており、内側を流れる冷却空気が内部筐体４７の外部へと漏れ流出することを確実に防止している。
〔６．シロッコファン〕
次に、シロッコファン５４について詳細に説明する。
図１２は、光学ユニット４を下方から見た斜視図である。また、図１３は、光学ユニット４、つまり下内部筐体４７１の一部を拡大して示す斜視図である。さらに、図１４は、プロジェクタ１における要部を模式的に示す図である。
図１２に示すように、シロッコファン５４は、下内部筐体４７１の下側に配置されるファンであり、ねじ孔部５４１を介して２本のねじ５４２で下内部筐体４７１の外面に固定される。
また、シロッコファン５４は、図５、図１２、図１３、図１４に示すように、光学素子ユニット６００の近傍であって内部筐体４７内の空気を吸入して、光源装置４１３側に排出するファンであって、光学素子冷却用排気側開口部４７１Ａに向けられている吸気口５４Ａと、光源冷却流路Ｘと接続される排気口５４Ｂとを備えて構成される。
〔７．冷却構造〕
以上のような構成の本実施形態のプロジェクタ１では、液晶パネル４４１Ｒ，４４１Ｇ，４４１Ｂを主に冷却するパネル冷却系Ａと、光学素子ユニット６００および光源装置４１３を主に冷却する光学素子光源冷却系Ｂと、電源３１を主に冷却する電源冷却系Ｃとを備えている。
なお、光学素子光源冷却系Ｂが、本発明の要部となる冷却系であるため、後で詳細に説明する。まず、パネル冷却系Ａおよび電源冷却系Ｃについて説明する。
図２、図４、図５において、パネル冷却系Ａでは、投写レンズ４６の両側に配置された一対のシロッコファン５１，５２が用いられている。シロッコファン５１，５２によって下面の吸気口２３１Ｂから吸引された冷却空気は、液晶パネル４４１Ｒ，４４１Ｇ，４４１Ｂを下方から上方に向けて冷却した後、ドライバーボード９０（図３）の下面を冷却しながら前方隅部の軸流排気ファン５３側に寄せられ、前面側の排気口２１２Ｂから排気される。
図４において、電源冷却系Ｃでは、電源３１の後方に設けられた軸流吸気ファン５５が用いられる。軸流吸気ファン５５によって背面側の吸気口２Ｄから吸引された冷却空気は、電源３１およびランプ駆動回路３２を冷却した後、他の冷却系統Ａと同様に、軸流排気ファン５３によって排気口２１２Ｂから排気される。
〔８．光学素子光源冷却系の構造〕
次に、光学素子光源冷却系Ｂについて詳細に説明する。
パネル冷却系Ａと同様にシロッコファン５１，５２によって下面の吸気口２３１Ｂから吸引された冷却空気は、液晶パネル４４１Ｒ，４４１Ｇ，４４１Ｂを下方から上方に向けて冷却した後、ドライバーボード９０（図３）の下面に到達する。その冷却空気の一部は前記のパネル冷却系Ａに流れ、残りの冷却空気は、図１４における光学素子光源冷却系Ｂにおいて、矢印に示すように、シロッコファン５４によって引き寄せられて、図１４において図示していないドライバーボード９０を冷却しながら、このドライバーボード９０に対向配置されるとともに、上内部筐体４７２に形成された光学素子冷却用吸気側開口部４７２Ａから内部筐体４７内に入り込む。
そして、内部筐体４７内に入り込んだ冷却空気は、光学素子ユニット６００の吸気側開口部６０２Ａから光学素子ユニット６００の内部に入り、図１３における矢印６１０，６１１の経路を通って、偏光変換素子４１５および第２レンズアレイ４１４を冷却した後に、排気側開口部６０２Ｂから出てくる。
次に、排気側開口部６０２Ｂから出てきた冷却空気は、図１２も参照すると、下内部筐体４７１に形成された光学素子冷却用排気側開口部４７１Ａから内部筐体４７の外へと出て、シロッコファン５４の吸気口５４Ａからシロッコファン５４に吸入され、排気口５４Ｂから吐き出される。
この吐き出された冷却空気は、吸気側ダクトフレーム５５０の空気取込部５５４の先端に形成された開口部５５１Ａに入り、整流板５５７によって整流されながら（図７参照）、吸気側ダクトフレーム５５０に沿ってその方向が９０度転換されて、ランプ本体４１０の吸気側開口部５０８を経てスムーズに光源冷却流路Ｘに入る。その後、光源冷却流路Ｘを通って光源ランプ４１１を冷却した後に、排気側開口部５０７からランプ本体４１０の外へ出て行き、前記冷却系統Ａ，Ｃと同様に、軸流排気ファン５３によって排気口２１２Ｂから外装ケース２の外へ排気される。
〔本実施形態の効果〕
このような本実施形態によれば、以下のような効果がある。
（１）シロッコファン５４が駆動して、図１４の矢印で示す光学素子光源冷却系Ｂのように冷却空気が流れるので、光学素子ユニット６００および光源ランプ４１１が集中的に冷却されるから、光源ランプ４１１ひいては光源装置４１３、および光学素子ユニット６００を充分に冷却できる。
（２）内部筐体４７の内部側に最初に流入する冷却空気が、光学素子光源冷却系Ｂにおける冷却空気の中で最も冷たいので、光学素子ユニット６００の上方に光学素子冷却用吸気側開口部４７２Ａを形成し、最初に冷却空気が入るようにしたので、歪み等が生じ易い光学素子ユニット６００を、より一層効率よく冷却できて、光学素子ユニット６００の長寿命化を図ることができる。
（３）シロッコファン５４の排気口５４Ｂと吸気側開口部５０８とを吸気側ダクトフレーム５５０を介して接続したので、シロッコファン５４から排出される冷却空気が他へと漏れ流出することが少なくなる。このため、シロッコファン５４から排出される冷却空気を光源冷却流路Ｘに確実に送風でき、リフレクタ４１２の内部、つまりは光源ランプ４１１を効率よく冷却できて、光源ランプ４１１の長寿命化を図ることができる。
（４）一対のランプ冷却用開口部である吸気側開口部５０８および排気側開口部５０７を、リフレクタ４１２の光軸を中心とした対称位置に形成したので、リフレクタ４１２の内部を比較的広範囲に渡って冷却空気が流通するので、光源ランプ４１１をより一層効率よく冷却できる。
（５）リフレクタ４１２の光出射面４１２Ａを塞ぐ透明板５０１を設けたので、光源ランプ４１１が破損した際において、その破片が飛散することを防止できる。
（６）吸気側ダクトフレーム５５０に整流板５５７を形成したので、吸気側ダクトフレーム５５０の内側を流れる冷却空気は、整流板５５７で整流されて光源冷却流路Ｘへとスムーズに流れる。このため、より一層効率よく光源ランプ４１１を冷却できる。
（７）光源装置４１３には、排気側蓋部材５２０およびダクトフレーム５５０を含む開閉機構を構成したので、光源ランプ４１１の破損によって交換が必要となった場合でも、内部筐体４７から光源装置４１３を取り外す際に、開閉機構によってランプ本体４１０が閉塞されるので、光源ランプ４１１の破片等が内部筐体４７内に飛散することを防止できる。このため、光源ランプ４１１の破片がプロジェクタ１の使用者に付着して、怪我を負うような可能性をなくすことができる。さらに、光源ランプ用筐体５００には、ダクトフレーム５３０，５５０を設けたので、筐体５００内部に位置するリフレクタ４１２および光源ランプ４１１の破損時における破片の飛散も防止できる。
（８）下内部筐体４７１にリブ状の突起４７５を形成したので、光学素子冷却用排気側開口部４７１Ａとシロッコファン５４の吸気口５４Ａとの間には、突起４７５の突出寸法分の空間が設けられることになる。このため、ファン５４が光学素子ユニット６００の近傍における冷却空気をまんべんなく吸入するので、光学素子ユニット６００全体を冷却できる。
（９）突起４７５がシロッコファン５４の吸気口５４Ａおよび光学素子冷却用排気側開口部４７１Ａを囲むので、突起４７５とシロッコファン５４との隙間から、吸気口５４Ａへと流入する空気を少なくできる。このため、シロッコファン５４が内部筐体４７内の冷却空気を確実に吸入するので、光学素子ユニット６００を充分に冷却できる。
（１０）突起４７５の先端部分４７５Ａを平坦面とし、突起４７５とシロッコファン５４の吸気口５４Ａの周囲とが正確に当接するように構成したので、より一層確実に内部筐体４７内の冷却空気を吸入できて光学素子ユニットを確実に冷却できる。
（１１）下内部筐体４７１に凹状段部４７６を形成し、エア溜まり４７６Ａを設けたので、シロッコファン５４が光学素子ユニット６００近傍の冷却空気をまんべんなく吸入できて、光学素子ユニット６００の全体を冷却できる。
（１２）ドライバーボード９０を、光学素子冷却用吸気側開口部４７２Ａの近傍に対向配置したので、内部筐体４７の外部側にある冷却用の空気が、光学素子冷却用吸気側開口部４７２Ａを介して内部筐体４７の内部側へと流入する際にドライバーボード９０も一緒に冷却する。このため、熱に弱い回路素子を含むドライバーボード９０を冷却できるので電気光学装置４４、ひいてはプロジェクタ１を確実に動作させることができる。
（１３）排気側蓋部材５２０によってリフレクタ４１２の背面側へと冷却空気が流れるようにしたので、一般にリフレクタ４１２の背面側に位置するとともに、発熱しやすい光源ランプ４１１の電極を冷却するので、より一層、光源ランプ４１１の長寿命化を図ることができる。
（１４）吸気側ダクトフレーム５５０の内側の空間を、吸気側ダクトフレーム５５０と下内部筐体４７１とで二重に覆っているので、この内側を流れる冷却空気が内部筐体４７の外部へと漏れ流出することを確実に防止できる。
（１５）コイルばねの付勢によって、開口部５０３，５０４，５５１Ａの開閉を行うようにしたので、簡単な構造で開閉機構を設けることができる。
〔変形例〕
なお、本発明は、前記実施形態に限定されるものではなく、本発明の目的を達成できる他の構成等を含み、以下に示すような変形等も本発明に含まれる。
例えば、前記実施形態において、ドライバーボード９０を光学素子冷却用吸気側開口部４７２Ａに対向配置したが、他の冷却系によって確実に冷却できるのであれば、特にこの位置に配置しなくてもよい。
また、前記実施形態において、一対のランプ冷却用開口部５０７，５０８をリフレクタ４１２の光軸を中心とした対称位置に形成したが、対称の位置からずれていてもよく、つまりは、リフレクタ４１２を含む光源装置４１３に一対の開口部が形成されればよい。さらに、ランプ冷却用開口部５０７，５０８を一つずつ設けなくてもよく、例えば、吸気側開口部が１つであって、排気側開口部が２つあるような構造としてもよい。要するに、少なくとも一対の開口部が設けられればよい。
また、吸気側ダクトフレーム５５０としては、例えば、フレキシブルパイプ等のダクトを用いて、シロッコファン５４の排気口５４Ｂと光源冷却流路Ｘを接続してもよい。
ここで、前記実施形態において、ダクトフレーム５３０，５５０および排気側蓋部材５２０を備えて光源装置４１３を構成したが、光源ランプ４１１を確実に冷却できるのであれば、これらの一部を設けてもよいし、全て設けなくてもよい。ただし、前記実施形態の方が、確実に光源装置４１３を冷却できるという利点がある。
さらに、前記実施形態において、光源装置４１３に開閉機構を備えたが、特に必要でなければ、設けなくてもよい。また、光源装置４１３の下側となる吸気側だけ開閉するような開閉機構としてもよい。このような場合には、破損時の破片は下に落ちるので、下側だけを開閉可能にすれば、比較的確実に破片の飛散を防止できる利点がある。ただし、いずれの場合に比べても前記実施形態の方が、光源ランプ４１１の破損時に破片が確実に飛散しないという利点がある。
前記実施形態において、下内部筐体４７１に突起４７５を形成したが、シロッコファン５４が確実で、かつ効率よく冷却空気を吸入するのであれば、特に設けなくてもよい。ただし、前記実施形態の方が、光学素子ユニット６００の近傍における冷却空気を満遍なく吸入できるという利点がある。
前記実施形態において、下内部筐体４７１に凹状段部４７６からなるエア溜まり４７６Ａを形成したが、シロッコファン５４が確実で、かつ効率よく冷却空気を吸入するのであれば、特に設けなくてもよい。ただし、前記実施形態の方が、光学素子ユニット６００の近傍における冷却空気を満遍なく吸入できるという利点がある。
また、前記実施形態において、光学素子ユニット６００を冷却するために、光学素子固定部材６０２の上下に２つずつ開口部６０２Ａ，６０２Ｂを形成したが、この数や形状は特に限定されない。また、光学素子ユニット６００における冷却流路の方向も上下方向に限らず、斜めの方向等のその他の方向としてもよい。
また、前記実施形態においては、偏光変換素子４１５および第２レンズアレイ４１４とを一体化した光学素子ユニット６００を冷却するように構成したが、これに限らず、例えば、第１コンデンサレンズ４１６や第１レンズアレイ４１８等のその他の光学素子を冷却するように構成してもよい。
なお、本実施形態では、ダクトキャップ５６０の底面部５６１において、他の部分から吸気用開口部５６１Ａの中央側へと延出する薄い延出部５６１Ｂを形成したが、この延出部５６１Ｂは、図１５に示すように、吸気用開口部５６１Ａに向かって、その厚さ寸法が徐々に小さくなるようなテーパ状としてもよい。つまり、底面部５６１の上部における開口面積が、底面部５６１の下部における開口面積よりも大きくなるように形成すればよい。
産業上の利用可能性
本発明は、光源から出射された光束を画像情報に応じて変調し、拡大投写して投写画像を形成するプロジェクタに利用できる。
【図面の簡単な説明】
図１は本発明の一実施形態に係るプロジェクタを上方から見た全体斜視図である。
図２は前記実施形態におけるプロジェクタを下方から見た全体斜視図である。
図３は図１の状態からアッパーケースを外した状態を示す斜視図である。
図４は図３の状態からシールド板、ドライバーボード、および上内部筐体を外して後方側から見た斜視図である。
図５は図４の状態から光学ユニットを外した状態を示す斜視図である。
図６は前記実施形態における光学ユニットを模式的に示す平面図である。
図７は前記実施形態における光源装置を示す分解斜視図である。
図８は前記実施形態におけるダクトフレームを上方もしくは正面から見た図である。
図９は前記実施形態におけるダクトキャップの下方から見た図である。
図１０は前記実施形態におけるダクトキャップの縦断面図である。
図１１は前記実施形態における光学素子ユニットを示す斜視図である。
図１２は前記実施形態における光学ユニットを下方から見た斜視図である。
図１３は前記実施形態における下内部筐体の一部を拡大して示す斜視図である。
図１４は前記実施形態における光学ユニットの要部を模式的に示す図である。
図１５は前記実施形態におけるダクトキャップの変形例を示す縦断面図である。
【図１】
2002097529.tif 000003
【図２】
2002097529.tif 000004
【図３】
2002097529.tif 000005
【図４】
2002097529.tif 000006
【図５】
2002097529.tif 000007
【図６】
2002097529.tif 000008
【図７】
2002097529.tif 000009
【図８】
2002097529.tif 000010
【図９】
2002097529.tif 000011
【図１０】
2002097529.tif 000012
【図１１】
2002097529.tif 000013
【図１２】
2002097529.tif 000014
【図１３】
2002097529.tif 000015
【図１４】
2002097529.tif 000016
【図１５】
2002097529.tif 000017
【国際調査報告】
2002097529.tif 000018
2002097529.tif 000019
2002097529.tif 000020
2002097529.tif 000021